(57)【要約】【課題】  ティース部をヨーク部に嵌合固定するにあたって、ティース部の位置決めを容易に行うことができるモータのステータを提供する。【解決手段】  リング状のヨーク部１と、複数のティース２を先端側でリング状に連結して構成するとともに、それぞれのティース２にコイル３を装着したティース部４とを有し、リング状のティース部４を、反先端側をリング状のヨーク部１の内周面に嵌合して構成したモータのステータにおいて、ヨーク部１の内周面の、それぞれのティース２を嵌合する部分の少なくとも片側に、突起８を形成する。【選択図】        図１
2006174672.tif 000002
【特許請求の範囲】
【請求項１】
リング状のヨーク部と、
複数のティースを先端側でリング状に連結して構成するとともに、前記それぞれのティースにコイルを装着したティース部とを有し、
前記リング状のティース部を、反先端側を前記リング状のヨーク部の内周面に嵌合して構成したモータのステータにおいて、
前記ヨーク部内周面の、それぞれのティースを嵌合する部分の少なくとも片側に、突起を形成したことを特徴とするモータのステータ。
【請求項２】
前記突起は、前記ティースの両側に、前記ティースの両側面と接するように形成されたことを特徴とする請求項１に記載のモータのステータ。
【請求項３】
前記突起の反ティース側の根元部に、なだらかな傾斜部を形成したことを特徴とする請求項２に記載のモータのステータ。
【請求項４】
前記傾斜部が、円弧状に形成されていることを特徴とする請求項３に記載のモータのステータ。
【請求項５】
前記傾斜部が、直線状に形成されていることを特徴とする請求項３に記載のモータのステータ。
【請求項６】
巻線を巻装したボビンを前記ティースに装着するとともに、前記突起の先端に、前記ボビンを当接させたことを特徴とする請求項１から５までのいずれか１項に記載のモータのステータ。
【発明の詳細な説明】
【技術分野】
【０００１】
本発明は、モータのステータに関するもので、分割コアの形状に関するものである。
【背景技術】
【０００２】
従来より、モータのステータコアの一つの形態として、分割コアが用いられている。
分割コアは、図３および図４に示すように、リング状のヨーク部１と、複数のティース２を先端側でリング状に連結して構成するとともに、前記それぞれのティース２にコイル３を装着したティース部４とを有し、前記リング状のティース部４を、各ティースの反先端側（外周側）の端面５を前記リング状のヨーク部１の内周面の嵌合面６に、例えば焼き嵌めで嵌合してモータのステータを構成している（例えば、特許文献１参照）。
また、前記ヨーク部１は、コイル３の逃げとして、ティース部４を嵌合する部分の面、つまり嵌合面６の両側を切欠いて、コイル逃げ部７を設けている。
【特許文献１】特開平６−３８４１２号公報（図１）
【発明の開示】
【発明が解決しようとする課題】
【０００３】
しかしながら、このような従来技術においては、次のような問題があった。
（１）ヨーク部にティース部を焼き嵌めで嵌合固定する際、ティース部とヨーク部の回転方向の位置決めがなく、嵌め合い部を目視で確認しながら焼き嵌めを行うことから、作業性が悪い。
（２）ヨーク部１の内周面において、嵌合面６とコイル逃げ部７の境界が明確でないことにより、ティース部とヨーク部の位置が回転方向にずれ、モータ特性が得られない。
本発明は、このような問題を解決するためになされたもので、ティース部をヨーク部に嵌合固定するにあたって、ティース部の位置決めを容易に行うことができるモータのステータを提供することを目的とするものである。
【課題を解決するための手段】
【０００４】
上記問題を解決するため、本発明は、次のように構成したものである。
請求項１に記載の発明は、リング状のヨーク部と、複数のティースを先端側でリング状に連結して構成するとともに、前記それぞれのティースにコイルを装着したティース部とを有し、前記リング状のティース部を、反先端側を前記リング状のヨーク部の内周面に嵌合して構成したモータのステータにおいて、前記ヨーク部内周面の、それぞれのティースを嵌合する部分の少なくとも片側に、突起を形成するようにしたものである。
請求項２に記載の発明は、前記突起を、前記ティースの両側面と接するように形成したことを特徴とするものである。
請求項３に記載の発明は、前記突起の反ティース側の根元部に、なだらかな傾斜部を形成したことを特徴とするものである。
請求項４に記載の発明は、前記傾斜部を、円弧状に形成したことを特徴とするものである。
請求項５に記載の発明は、前記傾斜部を、直線状に形成したことを特徴とするものである。
請求項６に記載の発明は、巻線を巻装したボビンを前記ティースに装着するとともに、前記突起の先端に、前記ボビンを当接させたことを特徴とするものである。
【発明の効果】
【０００５】
本発明によれば、次のような効果がある。
(1) 請求項１に記載の発明によると、ヨーク部の内周面に形成した突起がティース部のティースの焼き嵌め時のガイドとなり、周方向（回転方向）の位置決めを気にすることなく目視で容易に挿入することができる。したがって、作業性が向上し、ティース部とヨーク部の嵌め合い部がずれることがなくなり、モータ特性が安定する。
(2) 請求項２に記載の発明によると、ティース部は、両側面と接する両側の突起によって周方向にも固定することができるので、ティース部とヨーク部の嵌め合い部の焼き嵌めのシメシロを低減することができる。したがって、ティース部にかかる応力を緩和することができる。
(3) 請求項３〜５に記載の発明によると、突起部を通る角部の磁束の流れがスムーズになり、モータ特性が向上する。
(4) 請求項６に記載の発明によると、突起の先端部がストッパの役目をし、ボビンの径方向の位置決めが確実にでき、コイルがヨーク部に接触するのを防ぐことができる。
【発明を実施するための最良の形態】
【０００６】
以下、本発明の実施例を、図１および図２に基づいて説明する。
【実施例１】
【０００７】
図１は、本発明の実施例におけるモータのステータを示す正断面図で、コイルをティース部に挿入したものをヨーク部に焼き嵌め結合した構成を示している。図２は、図１におけるヨーク部とティース部の嵌合部を示す拡大図である。
本発明が、従来技術と異なるところは、ヨーク部１の内周面の、それぞれのティース２を嵌合する部分、つまり嵌合面６の両側に、突起７を形成した点である。
前記突起７は、前記ティース２の両側面と接するように形成されている。これにより、ティース部４は、前記突起７をガイドとして両突起８間に挿入するだけで、周方向の位置決めがなされてヨーク部１の嵌合面６に焼き嵌め嵌合することができる。また、嵌合後は、前記ティース部４の各ティース２の両側面に接している突起８がストッパの役目をして、ティース部４の回り止めがなされる。これにより、ティース部４とヨーク部１の嵌め合い部の焼き嵌めのシメシロを低減することができ、ティース部４にかかる応力を緩和することができる。
また、前記突起８の反ティース側の根元部に、なだらかな傾斜部９を形成している。磁束１０は、ティース部とヨーク間を流れるが、前記突起８のある部分は、磁束１０が流れを変える角部にあたっている。その角部にあたる部分になだらかな傾斜部９を形成することにより、磁束１０はその角部をスムーズに流れるようになる。傾斜部９は磁束１０の流れに沿った円弧状が望ましいが、直線状でもよい。
また、ティース部４のティース２には、直接、あるいはボビンを介してコイル３を巻装するが、巻線を巻装したボビンを前記ティース２に装着する場合は、前記突起８の先端に、前記ボビンを当接させるようにすれば、突起８の先端部がストッパの役目をし、ボビンの径方向の位置決めが確実にでき、コイル３がヨーク部１に接触するのを防ぐことができる。
なお、本発明においては、突起８はティース２の片側のみに設けるようにしてもよい。この場合は、ガイド・位置決め機能と、ボビンのストッパ機能を発揮することができる。
【図面の簡単な説明】
【０００８】
【図１】本発明の実施例におけるモータのステータを示すもので、ティース部をヨーク部に焼き嵌めで嵌合固定した状態を示している。
【図２】図１におけるヨーク部とティース部の嵌合部を示す拡大断面図である。
【図３】従来技術における図１相当図である。
【図４】従来技術における図２相当図である。
【符号の説明】
【０００９】
１  ヨーク部
２  ティース
３  コイル
４  ティース部
５  ティースの反先端側の端面
６  ヨーク部の嵌合面
７  コイル逃げ部
８  突起
９  傾斜部
１０  磁束
【図１】
2006174672.tif 000003
【図２】
2006174672.tif 000004
【図３】
2006174672.tif 000005
【図４】
2006174672.tif 000006